(57)【要約】【課題】インターネット接続できる環境にあるものが、いつでもどこでもＰＯＰ広告等の印刷物の作成を行うことができて、効率の良い販売促進効果を得ることができるインターネットによる印刷物作成システムを提供する。【解決手段】ホストコンピュータ１と、印刷物ｂの印刷を依頼する多数からなる依頼主２ａ…とを、端末機５を有する通信手段３によりインターネット４を介して接続させて、ホストコンピュータは、多数の依頼主が印刷を依頼するための各種の様式情報と、印刷するための個別情報とを格納してあり、該ホストコンピュータは、格納した様式情報および個別情報をインターネットを介して依頼主の端末機における表示手段へ表示可能に設けられていて、依頼主による様式情報および個別情報の選択によって、ホストコンピュータは、これら様式情報および個別情報を組み合わせて一枚の印刷物情報に生成して、該ホストコンピュータへ記憶させる。【選択図】    図１
2005128677.tif 000002
【特許請求の範囲】
【請求項１】
ホストコンピュータと、印刷物の印刷を依頼する多数からなる依頼主とを、端末機を有する通信手段によりインターネットを介して接続させたインターネットによる印刷物作成システムにあって、
前記ホストコンピュータは、前記多数の依頼主が印刷を依頼するための各種の様式情報と、前記印刷物に印刷するための個別情報とを格納してあり、
該ホストコンピュータは、前記格納した様式情報および個別情報を、インターネットを介して前記依頼主の端末機における表示手段へ表示可能に設けられていて、前記依頼主による前記様式情報および個別情報の選択によって、前記ホストコンピュータは、これら様式情報および個別情報を組み合わせて一枚の印刷物情報に生成して、該ホストコンピュータへ記憶させてなり、
前記記憶された前記印刷物情報は、前記依頼主が前記インターネットを介して閲覧できるようにさせてあることを特徴とするインターネットによる印刷物作成システム。
【請求項２】
ホストコンピュータと、印刷物の印刷を依頼する多数からなる依頼主とを、端末機を有する通信手段によりインターネットを介して接続させたインターネットによる印刷物作成システムにあって、
前記ホストコンピュータは、前記多数の依頼主が印刷を依頼するための各種の様式情報と、前記印刷物に印刷するための個別情報とを格納してあり、
該ホストコンピュータは、前記格納した様式情報および個別情報をインターネットを介して前記依頼主の端末機における表示手段へ表示可能に設けられていて、前記依頼主による前記様式情報および個別情報の選択によって、前記ホストコンピュータは、これら様式情報および個別情報を組み合わせて一枚の印刷物情報に生成して、該ホストコンピュータへ記憶させてなり、
このコンピュータによる前記様式情報および個別情報の前記依頼主の端末機における表示手段への表示は、前記様式情報である前記印刷物の用紙サイズの選択画面と、この用紙へ表示させる前記個別情報である商品の選択画面と、この商品の選択画面において選択された個別情報のレイアウトパターンを選択する画面と、できあがった前記レイアウトを確認するプレビュー画面とを有していて、
前記記憶された前記印刷物情報は、前記依頼主が前記インターネットを介して閲覧できるようにさせてあることを特徴とするインターネットによる印刷物作成システム。
【請求項３】
印刷物情報は、インターネットを介してホストコンピュータからダウンロード自在に設けられたことを特徴とする請求項１または２記載のインターネットによる印刷物作成システム。
【発明の詳細な説明】
【技術分野】
【０００１】
本発明は、インターネットへ接続できる環境にあるものが、いつでもどこでもＰＯＰ広告等の印刷物の作成を行うことができるインターネットによる印刷物作成システムに関する。
【背景技術】
【０００２】
従来、小売店などにおいて利用されるＰＯＰ広告（消費者が商品を購買する時点で商品に関心を引き、買おうとさせる気にする広告）等にあっては、一商品に対して一広告（一枚等の単品）の場合には、印刷所における組み版作業で制作することは、コストと時間が無駄に掛かる上、印刷されたものが他の商品との汎用性がないため、やむを得ず、作業者が一商品ずつ手書きや手作りで行うことが一般的であった。
しかしながら、このものは、手書き等による手作業であるため、消費者への有効な広告媒体とはなり得ず、業界にあっては、意匠的価値や広告的価値が高く、簡単なシステムで十分な販売促進効果が得られる印刷物の作成システムの出現を強く要望されていた。
【発明の開示】
【発明が解決しようとする課題】
【０００３】
本発明は、前記した要望にかんがみなされたもので、ホストコンピュータと、印刷物の印刷を依頼する多数からなる依頼主とを、端末機を有する通信手段によりインターネットを介して接続させたインターネットによる印刷物作成システムにあって、ホストコンピュータは、多数の依頼主が印刷を依頼するための各種の様式情報と、印刷するための個別情報とを格納してあり、該ホストコンピュータは、格納した様式情報および個別情報をインターネットを介して依頼主の端末機における表示手段へ表示可能に設けられていて、依頼主による前記様式情報および個別情報の選択によって、前記ホストコンピュータは、これら様式情報および個別情報を組み合わせて一枚の印刷物情報に生成して、該ホストコンピュータへ記憶させることにより、インターネットへ接続できる環境にあるものが、いつでもどこでもＰＯＰ広告等の印刷物の作成を行うことができて、効率の良い販売促進効果を得ることができるインターネットによる印刷物作成システムを提供することを目的としている。
【課題を解決するための手段】
【０００４】
前記した目的を達成するための本発明の手段は、
ホストコンピュータと、印刷物の印刷を依頼する多数からなる依頼主とを、端末機を有する通信手段によりインターネットを介して接続させたインターネットによる印刷物作成システムにあって、
前記ホストコンピュータは、前記多数の依頼主が印刷を依頼するための各種の様式情報と、前記印刷物に印刷するための個別情報とを格納してあり、
該ホストコンピュータは、前記格納した様式情報および個別情報をインターネットを介して前記依頼主の端末機における表示手段へ表示可能に設けられていて、前記依頼主による前記様式情報および個別情報の選択によって、前記ホストコンピュータは、これら様式情報および個別情報を組み合わせて一枚の印刷物情報に生成して、該ホストコンピュータへ記憶させてなり、
前記記憶された前記印刷物情報は、前記依頼主が前記インターネットを介して閲覧できるようにさせてあるインターネットによる印刷物作成システムにある。
【０００５】
ホストコンピュータと、印刷物の印刷を依頼する多数からなる依頼主とを、端末機を有する通信手段によりインターネットを介して接続させたインターネットによる印刷物作成システムにあって、
前記ホストコンピュータは、前記多数の依頼主が印刷を依頼するための各種の様式情報と、前記印刷物に印刷するための個別情報とを格納してあり、
該ホストコンピュータは、前記格納した様式情報および個別情報をインターネットを介して前記依頼主の端末機における表示手段へ表示可能に設けられていて、前記依頼主による前記様式情報および個別情報の選択によって、前記ホストコンピュータは、これら様式情報および個別情報を組み合わせて一枚の印刷物情報に生成して、該ホストコンピュータへ記憶させてなり、
このコンピュータによる前記様式情報および個別情報の前記依頼主の端末機における表示手段への表示は、前記様式情報である前記印刷物の用紙サイズの選択画面と、この用紙へ表示させる前記個別情報である商品の選択画面と、この商品の選択画面において選択された個別情報のレイアウトパターンを選択する画面と、できあがった前記レイアウトを確認するプレビュー画面とを有していて、
前記記憶された前記印刷物情報は、前記依頼主が前記インターネットを介して閲覧できるようにさせてあるインターネットによる印刷物作成システムにある。
【０００６】
印刷物情報は、インターネットを介してホストコンピュータからダウンロード自在に設けられる。
【発明の効果】
【０００７】
本発明は、インターネットへ接続できる環境にあるものが、いつでもどこでもＰＯＰ広告等の印刷物の作成を行うことができて、効率の良い販売促進効果を得ることができる。
【発明を実施するための最良の形態】
【０００８】
次に、本発明に関するインターネットによる印刷物作成システム（インターネットによる印刷物作成方法）の実施の一例を図面に基づいて説明する。
図１は、本発明実施例のインターネットによる印刷物作成システム（インターネットによる印刷物作成方法）Ａの基本的なフローシートを示す一例であり、ホストコンピュータ１と、印刷物ｂの印刷を依頼する多数からなる依頼主２ａ，２ｂ，２ｃ，２ｄ，２ｅ…とを、端末機５を有する通信手段３によりインターネット４を介して接続させたインターネットによる印刷物作成システム（インターネットによる印刷物作成方法）Ａにあって、ホストコンピュータ１は、多数の依頼主２ａ，２ｂ，２ｃ，２ｄ，２ｅ…が印刷物ｂの印刷を依頼するための各種の様式情報と、印刷するための個別情報とを格納してあり、該ホストコンピュータ１は、格納した様式情報および個別情報をインターネット４を介して依頼主２ａ，２ｂ，２ｃ，２ｄ，２ｅ…の端末機における表示手段へ表示可能に設けられていて、依頼主２ａ，２ｂ，２ｃ，２ｄ，２ｅ…による前記様式情報および個別情報の選択によって、ホストコンピュータ１は、これら様式情報および個別情報を組み合わせて一枚のＰＯＰ広告等の印刷物情報に生成して、該ホストコンピュータ１へ記憶させてなり、前記記憶された前記印刷物情報は、前記依頼主２ａ，２ｂ，２ｃ，２ｄ，２ｅ…がインターネット４を介して閲覧できるようにさせてある。
【０００９】
前記した印刷物ｂは、例えば、ＰＯＰ広告（消費者が商品を購買する時点で商品に関心を引き、買おうとさせる気にする広告）や、ダイレクトメール、チラシ、カタログなど任意のものが利用される。
【００１０】
なお、前記各種の様式情報とは、依頼主２ａ，２ｂ，２ｃ，２ｄ，２ｅ…が印刷物を作成依頼するための基本情報であって、紙状となる台紙などの用紙６のサイズや該用紙方向、その背景等のデザインなどである。
また、前記の各種の個別情報とは、商品の種類や商品の画像，値段，メモ，コメント，レシピなど商品の販売や展示などに必要な、あるいは販売の促進につながる手段などの情報である。
【００１１】
前記した依頼主２ａ，２ｂ，２ｃ，２ｄ，２ｅ…は、例えば、商品や役務を消費者へ販売・展示する小売店や取扱所などで、前記商品や役務に関する情報が掲載された少量あるいは大量の印刷物が必要となるところで、任意のものが選定し得る。
【００１２】
また、前記した依頼主２ａ，２ｂ，２ｃ，２ｄ，２ｅ…は、インターネット４へ通信手段３を介して接続した端末機（コンピュータや携帯端末機など）５をディスプレイを通じて操作する者である。
【００１３】
前記した通信手段３は、依頼主２ａ，２ｂ，２ｃ，２ｄ，２ｅ…が有するパーソナルコンピュータなどの端末機であるコンピュータや携帯端末機５などと、有線や無線等を利用して接続し、電気的や電子的信号の双方向通信（上りと下りの信号のやり取り）ができる手段である。
【００１４】
また、前記したインターネット４は、通信手段３を介して情報通信ネットワークが構築されたものであって、ＷＷＷや電子メール，ＦＴＰ（ファイル転送），ネットニューズ（掲示板・公開議論場），ＴＥＬＮＥＴ（他の計算機資源へのアクセス），ファイル検索，情報検索，データーベース検索などのサービスである。
【００１５】
前記したホストコンピュータ１は、インターネット４によりネットワークを構築する際に使用されるもので、一般的にはサーバマシンあるいはサーバ専用機等と呼ばれるものである。
該ホストコンピュータ１は、前記した多数の依頼主２ａ，２ｂ，２ｃ，２ｄ，２ｅ…が要求する印刷物ｂを作成するための前記各種の様式情報と、それぞれの個別情報とを格納してあり、前記登録された前記様式情報と個別情報とは、依頼主２ａ，２ｂ，２ｃ，２ｄ，２ｅ…がインターネット４を介して端末機５におけるディスプレイ上において任意にあるいは所定の認証作業を経て閲覧できるようにさせてある。
【００１６】
そして、本発明実施例における一実施例は、インターネットによる印刷物作成システム（インターネットによる印刷物作成方法）Ａにあって、以下の作用を奏する。
まず、ホストコンピュータ１には、あらかじめ、多数の依頼主２ａ，２ｂ，２ｃ，２ｄ，２ｅ…が印刷物ｂの印刷を依頼するための各種の様式情報と、印刷するための個別情報とを格納してある。
例えば、食品などの小売店である依頼主２ａ，２ｂ，２ｃ，２ｄ，２ｅ…において、その食品売り場に陳列した複数種の商品に対して、その特定した商品の名前や価格，メモ・レシピなどを少数枚の印刷を得るときは、まず、該依頼主２ａ，２ｂ，２ｃ，２ｄ，２ｅ…は、図１に示すように、該依頼主２ａ，２ｂ，２ｃ，２ｄ，２ｅ…のローカルコンピュータである端末機５から通信手段３を介してインターネット４へ接続させ、ホストコンピュータ１に格納されているホームページ（サイト）へアクセスさせる。
【００１７】
そして、端末機５におけるディスプレイ上において、図２に示すような、選択ページにおいて、印刷物ｂの用紙６のサイズ（各種の様式情報）の選択画面中において、依頼主２ａ，２ｂ，２ｃ，２ｄ，２ｅ…が必要とするサイズおよび用紙の方向をラジオボタンのチェックにより選択し、次へボタン７を押す。
【００１８】
すると、選択された用紙サイズにおいて、すでにホストコンピュータ１に登録されている印刷するための多数種類の個別情報８が、図３に示すようにリンクされている次の画面に移動して、列挙して表示されるので、この中から食品売り場の商品に該当する商品種をラジオボタンのチェックにより選び、次へボタン９を押す。なお、これら画面は、必ずしも一頁ごと作成する必要はなく、ホームページにおけるその一頁に複数の選択画面を掲載させてもよい。
【００１９】
この次へボタン９の実行によりリンクされている次の画面に移動して、図４に示すように、あらかじめホストコンピュータ１に登録された多数種類の個別情報１０が列挙されて表示されるので、この表示の中から希望するレイアウトパターンをラジオボタンのチェックにより選択して、次へボタン１１を押すと、リンクされている次の画面に移動して、図５に示すような、すでにホストコンピュータ１に登録されている印刷するための多数種類の個別情報１２が、いわゆる、当該商品を用いて調理できるいくつかのレシピ例が画像として表示される。
【００２０】
したがって、この個別情報１２のうちの希望するものをラジオボタンのチェックによりレシピ例の画像を確定し、同じ画面に表示されているコメント入力欄１３に所定コメントを入力し、売価入力欄１４の売価を入力し、小売店がもっぱら使用するロゴマーク１５の希望するものをラジオボタンのチェックにより選択することで、印刷物ｂ作成のための一通りの各種の様式情報と、印刷するための個別情報との選択が終わるので、ここで、プレビュー確認ボタン１６を押す。
【００２１】
これにより、今までのそれぞれの選択工程において選択されたものが、ホストコンピュータ１の自動生成によって、最終広告にレイアウトされた完成品、すなわち、要求した印刷物ｂが、図６に示すように、表示される。
これにより、依頼主２ａ，２ｂ，２ｃ，２ｄ，２ｅ…は、自己が入力したそれぞれの情報が確認できる。この時点で、ホストコンピュータ１には、作成された印刷物ｂが記憶され、該印刷物ｂは、端末機（ローカルコンピュータ）５へのダウンロードが可能の状態となる。
【００２２】
このプレビューされた表示内容に間違いがなければ、少数枚の印刷を得るために、前記画面上において、ダウンロードして印刷ボタン１７を押すことで、図７に示すような、ダウンロード画面１８が現れ、ダウンロードの準備ができる。
したがって、この画面１８上において、データのダウンロードボタン１９を押すことで、ホストコンピュータ１はこの実行信号によって、自動的に依頼主２ａ，２ｂ，２ｃ，２ｄ，２ｅ…の端末機５へ所定のファイル形式によりダウンロードされる。
この印刷物ｂのダウンロードにあっては、図８に示すように、ダウンロードファイル名２０が特定されて画面上に表示されるので、この画面上にいて、ダウンロードサイトへボタン２１を押すことで、自己の端末機５に保存される。
【００２３】
このように、該依頼主２ａ，２ｂ，２ｃ，２ｄ，２ｅ…は、自己の端末機５に保存された印刷物ｂのデータを所定の印刷機に掛けることで、オンライン上において該印刷物ｂが得られるものである。
【００２４】
なお、大量に印刷物ｂが必要な場合には、図６に示す表示画面において、このまま発注するボタン２２を押すことで、図７に示すように、印刷物発注画面が現れ、この画面上において、店名入力欄２３へ依頼主２ａ，２ｂ，２ｃ，２ｄ，２ｅ…における店名を、名前入力欄２４へ名前を、そして、依頼主２ａ，２ｂ，２ｃ，２ｄ，２ｅ…の所有するＩＤとパスワードとをそのＩＤ入力欄２５，パスワード入力欄２６等の必要項目への入力が終了した後、同画面上の発注するボタン２７を押すことで、オフラインによる納品される印刷物ｂの作成を依頼することができる。
【００２５】
前記のように、本発明実施例によるインターネットによる印刷物作成システム（インターネットによる印刷物作成方法）Ａは、依頼主２ａ，２ｂ，２ｃ，２ｄ，２ｅ…は、そのインターネット４へ接続することができる環境であれば、昼夜時間に関係ないいつでもどこでも印刷物ｂを自分の希望するレイアウトや各種の様式情報と印刷するための個別情報とによって組み合わせして作成することができる。
そのため、該印刷物ｂの作成のための時間とコストを大幅に軽減することができる。
【００２６】
また、前記した例にあっては、食品を商品とした印刷物ｂの作成について説明したが、他にも、例えば、旅行会社の旅行案内のためのチラシ作成や、一般的なカタログなどの任意な印刷物ｂを、複数のランダムな様式情報・個別情報を一つの用紙６上へ、自由なレイアウトで貼り付けて、一つの広告体となる印刷物ｂ（印刷用のデータ）を前記同様に簡単に作成することができ、これら印刷物ｂサンプルのための印刷物ｂの作成にあっても、自社の端末機ではない外出先においての端末機によりデモンストレーションしながら、客などの依頼者と表示されるディスプレイの印刷物サンプルを同時に確認しながら行うことができる。
【図面の簡単な説明】
【００２７】
【図１】本発明に関するインターネットによる印刷物作成システムの概略を示す説明図である。
【図２】本発明に関するインターネットによる印刷物作成システムの一実施例を示すもので、依頼主の印刷物作成工程における用紙サイズを選択するサイト画面の概略の説明図である。
【図３】図１におけるインターネットによる印刷物作成システムの商品を選択するサイト画面を示す概略の説明図である。
【図４】図１においてインターネットによる印刷物作成システムの依頼主の印刷物作成工程におけるレイアウトパターンを選択するサイト画面の概略の説明図である。
【図５】図１におけるインターネットによる印刷物作成システムの印刷物のパターンを選択するサイト画面の催事場を示す概略の説明図である。
【図６】図１においてインターネットによる印刷物作成システムのできあがった印刷物のプレビューサイト画面を示す概略の説明図である。
【図７】図１におけるインターネットによる印刷物作成システムによる印刷物のオフラインにより注文するサイト画面を示す概略の説明図である。
【図８】図１においてインターネットによる印刷物作成システムのできあがった印刷物データのダウンロードサイト画面を示す概略の説明図である。
【図９】図１においてインターネットによる印刷物作成システムのできあがった印刷物データをダウンロードするサイト画面を示す概略の説明図である。
【符号の説明】
【００２８】
Ａ…インターネットによる印刷物作成システム．ｂ…印刷物．１…ホストコンピュータ．２ａ，２ｂ，２ｃ，２ｄ，２ｅ…依頼主．３…通信手段．４…インターネット．
【図１】
2005128677.tif 000003
【図２】
2005128677.tif 000004
【図３】
2005128677.tif 000005
【図４】
2005128677.tif 000006
【図５】
2005128677.tif 000007
【図６】
2005128677.tif 000008
【図７】
2005128677.tif 000009
【図８】
2005128677.tif 000010
【図９】
2005128677.tif 000011